(57)【要約】【課題】マルチパックを容易にプラスチックボトルに装着でき、かつマルチパックを容易に折畳むこと。【解決手段】マルチパック１０はプラスチックボトル１の首上板５を係止する係止口２１が形成された天板１１と、天板１１に接続された一対の固定側板１２と、固定側板１２に連結された一対の連結側板１３とを備えている。固定側板１２と連結側板１３の下方に底部開口１６が形成され、天板１１と連結側板１３との間に側部開口１５が形成されている。固定側板１２に、固定側板１２を破断する破断線３１ａ、３１ｂが設けられている。【選択図】図１
2015105141.tif 000002
【特許請求の範囲】
【請求項１】
胴部と、首部と、口部と、口部下方の首上板とを有する複数のボトルを収納する箱型のマルチパックにおいて、
各ボトルの首上板を係止する係止口が形成された天板と、
天板に接続された互いに向き合う一対の固定側板と、
各固定側板に連結された互いに向き合う一対の連結側板とを備え、
一対の固定側板よび一対の連結側板の下方に底部開口が形成され、少なくとも一方の固定側板に、当該固定側板を破断する破断部が形成され、天板と各連結側板との間に側部開口が形成されていることを特徴とするマルチパック。
【請求項２】
天板に切取線により囲まれた把持部が形成されていることを特徴とする請求項１記載のマルチパック。
【請求項３】
天板および一対の連結側板に、各々折罫が形成され、マルチパックはこれらの折罫を介して平板状に折畳み可能となることを特徴とする請求項１または２記載のマルチパック。
【請求項４】
各係止口は、その周縁に内側へ向って突出し、首上板を係止する係止片を有することを特徴とする請求項１乃至３のいずれか記載のマルチパック。
【請求項５】
破断部は固定側板に形成され、横方向全長に渡って延びる破断線を有することを特徴とする請求項１乃至４のいずれか記載のマルチパック。
【請求項６】
各固定側板は天板側の傾斜側板と、傾斜側板下方の下方側板とを有し、破断部は傾斜側板に形成され、下方に向って先細状となるＶ字状の一対の破断線を有することを特徴とする請求項１乃至４のいずれか記載のマルチパック。
【請求項７】
一対の破断線の下端に、切取線により形成されたつまみ部が形成されていることを特徴とする請求項６記載のマルチパック。
【請求項８】
各固定側板は天板側の傾斜側板と傾斜側板下方の下方側板とを有し、破断部は下方側板に形成され、下方に向って先細状となるＶ字状の一対の破断線を有することを特徴とする請求項１乃至４のいずれか記載のマルチパック。
【請求項９】
各固定側板は天板側の傾斜側板と、傾斜側板下方の下方側板とを有し、
傾斜側板と下方側板との間に境界開口が形成され、
破断部は傾斜側板に設けられ、境界開口から側部開口へ向って延びる一対のＶ字状の破断線を有することを特徴とする請求項１乃至４のいずれか記載のマルチパック。
【請求項１０】
各連結側板には、固定側板側に延びる接着パネルが形成され、
接続パネルは一対の接着領域と、接着領域間の非接着領域とを有し、
非接着領域の裏面にキャンペーン用情報が設けられていることを特徴とする請求項１乃至９のいずれか記載のマルチパック。
【発明の詳細な説明】
【技術分野】
【０００１】
本発明は複数のボトルをまとめて持ち運ぶことができるマルチパックに係り、とりわけボトルに容易に装着でき、かつ折り畳むことにより簡単に保管でき、かつ搬送も容易となるマルチパックに関する。
【背景技術】
【０００２】
従来より複数のプラスチックボトルを収納する箱型の紙製マルチパックが知られている。
【０００３】
このようなマルチパックは、各ボトルの口部下方の首上板を係止する複数の係止口が形成された天板と、各ボトルを囲む側板とを有している。
【０００４】
このようなマルチパックにおいて、各ボトルの首上板を天板の係止口に装着し、マルチパックの天板を把持することによって複数のプラスチックボトルをまとめて持ち運ぶことができる。
【先行技術文献】
【特許文献】
【０００５】
【特許文献１】特開２０１２−３５９１１号公報
【特許文献２】特開平１１−２７８４２６号公報
【発明の概要】
【発明が解決しようとする課題】
【０００６】
しかしながら、従来より知られたマルチパックは、いずれも複数のプラスチックボトルを準備し、このボトルを周囲から巻付けることによりボトルを収納するものであり、ボトルに対する装着作業は簡単ではない。
【０００７】
また従来より簡単に折畳んで保管したり、搬送することができるマルチパックは開発されていない。
【０００８】
本発明はこのような点を考慮してなされたものであり、ボトルに容易に装着することができ、かつ折り畳むことにより簡単に保管したり輸送することができるマルチパックを提供することを目的とする。
【課題を解決するための手段】
【０００９】
本発明は、胴部と、首部と、口部と、口部下方の首上板とを有する複数のボトルを収納する箱型のマルチパックにおいて、各ボトルの首上板を係止する係止口が形成された天板と、天板に接続された互いに向き合う一対の固定側板と、各固定側板に連結された互いに向き合う一対の連結側板とを備え、一対の固定側板よび一対の連結側板の下方に底部開口が形成され、少なくとも一方の固定側板に、当該固定側板を破断する破断部が形成され、天板と各連結側板との間に側部開口が形成されていることを特徴とするマルチパックである。
【００１０】
本発明は、天板に切取線により囲まれた把持部が形成されていることを特徴とするマルチパックである。
【００１１】
本発明は、天板および一対の連結側板に、各々折罫が形成され、マルチパックはこれらの折罫を介して平板状に折畳み可能となることを特徴とするマルチパックである。
【００１２】
本発明は、各係止口は、その周縁に内側へ向って突出し、首上板を係止する係止片を有することを特徴とするマルチパックである。
【００１３】
本発明は、破断部は固定側板に形成され、横方向全長に渡って延びる破断線を有することを特徴とするマルチパックである。
【００１４】
本発明は、各固定側板は天板側の傾斜側板と、傾斜側板下方の下方側板とを有し、破断部は傾斜側板に形成され、下方に向って先細状となるＶ字状の一対の破断線を有することを特徴とするマルチパックである。
【００１５】
本発明は、一対の破断線の下端に、切取線により形成されたつまみ部が形成されていることを特徴とするマルチパックである。
【００１６】
本発明は、各固定側板は天板側の傾斜側板と傾斜側板下方の下方側板とを有し、破断部は下方側板に形成され、下方に向って先細状となるＶ字状の一対の破断線を有することを特徴とするマルチパックである。
【００１７】
本発明は、各固定側板は天板側の傾斜側板と、傾斜側板下方の下方側板とを有し、傾斜側板と下方側板との間に境界開口が形成され、破断部は傾斜側板に設けられ、境界開口から側部開口へ向って延びる一対のＶ字状の破断線を有することを特徴とするマルチパックである。
【００１８】
本発明は、各連結側板には、固定側板側に延びる接着パネルが形成され、接続パネルは一対の接着領域と、接着領域間の非接着領域とを有し、非接着領域の裏面にキャンペーン用情報が設けられていることを特徴とするマルチパックである。
【発明の効果】
【００１９】
以上のように本発明によれば、マルチパックを容易かつ簡単にボトルに装着することができ、かつマルチパックを折畳むことにより、簡単に保管したり輸送することができる。
【図面の簡単な説明】
【００２０】
【図１】図１は本発明によるマルチパックの第１の実施の形態を示す斜視図。
【図２】図２は本発明によるマルチパックの第１の実施の形態を示す正面図。
【図３】図３は本発明によるマルチパックの第１の実施の形態を示す側面図。
【図４】図４はマルチパックを作製する紙製ブランクを示す図。
【図５】図５はマルチパックを作製する紙製ブランクの変形例を示す図。
【図６】図６は本発明によるマルチパックの第２の実施の形態を示す斜視図。
【図７】図７は本発明によるマルチパックの第２の実施の形態を示す正面図。
【図８】図８は本発明によるマルチパックの第２の実施の形態を示す側面図。
【図９】図９はマルチパックを作製する紙製ブランクを示す図。
【図１０】図１０は本発明によるマルチパックの第３の実施の形態を示す斜視図。
【図１１】図１１は本発明によるマルチパックの第３の実施の形態を示す正面図。
【図１２】図１２は本発明によるマルチパックの第３の実施の形態を示す側面図。
【図１３】図１３はマルチパックを作製する紙製ブランクを示す図。
【図１４】図１４は本発明によるマルチパックの第４の実施の形態を示す斜視図。
【図１５】図１５は本発明によるマルチパックの第４の実施の形態を示す正面図。
【図１６】図１６は本発明によるマルチパックの第４の実施の形態を示す側面図。
【図１７】図１７はマルチパックを作製する紙製ブランクを示す図。
【図１８】図１８は本発明によるマルチパックの第５の実施の形態を示す斜視図。
【図１９】図１９は本発明によるマルチパックの第５の実施の形態を示す正面図。
【図２０】図２０は本発明によるマルチパックの第５の実施の形態を示す側面図。
【図２１】図２１はマルチパックを作製する紙製ブランクを示す図。
【図２２】図２２は本発明によるマルチパックの第６の実施の形態を示す斜視図。
【図２３】図２３は本発明によるマルチパックの第６の実施の形態を示す正面図。
【図２４】図２４は本発明によるマルチパックの第６の実施の形態を示す側面図。
【図２５】図２５はマルチパックを作製する紙製ブランクを示す図。
【図２６】図２６はマルチパックを作製する紙製ブランクの他の変形例を示す図。
【図２７】図２７はマルチパックを作製する紙製ブランクの他の変形例を示す図。
【発明を実施するための形態】
【００２１】
第１の実施の形態
次に本発明によるマルチパックについて、図１乃至図５により説明する。
【００２２】
図１乃至図５は、本発明によるマルチパックの第１の実施の形態を示す図である。
【００２３】
図１乃至図５に示すように、マルチパック１０は複数の飲料水用プラスチックボトル１を収納するものであり、箱状をなしている。
【００２４】
このようなプラスチックボトル１は、胴部２と、胴部２上方の首部３と、首部３上方の口部４と、口部４下方の首下板５とを有し、口部４はキャップ６によって密封されている（図３参照）。
【００２５】
マルチパック１０はこのようなプラスチックボトル１を収納するものである。なお、ボトル１としては、プラスチック製のものに限らず、金属製のボトルを用いてもよい。
【００２６】
次にマルチパック１０について、図１乃至図５により説明する。ここで図１はマルチパックを示す斜視図、図２はその正面図、図３はその側面図、図４はマルチパックを作製するための紙製ブランクを示す図、図５は紙製ブランクの変形例を示す図である。
【００２７】
図１乃至図４に示すようにマルチパック１０は各プラスチックボトル１の首上板５を係止する６個の係止口２１が形成された天板１１と、天板１１に連結された互いに向き合う一対の固定側板１２と、各固定側板１２に連結された互いに向き合う一対の連結側板１３とを備えている。
【００２８】
また天板１１と各連結側板１３との間に側部開口１５が形成されている。さらに、また一対の固定側板１２および一対の連結側板１３の下方に底部開口１６が形成されている。
【００２９】
また天板１１の略中央部には、切取線２２ａにより囲まれた一対の把持部２２が横方向に形成されている。ここで略中央部とは、中央のみならず、中央付近もいう。そして使用時に、各把持部２２の切取線２２ａを切取ることにより各把持部２２内に開口を形成し、この開口内に指を挿入してマルチパック１０を持ち運ぶことができる。
【００３０】
また天板１１には、各把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【００３１】
さらにまた天板１１に形成された６個の係止口２１は、上述のようにプラスチックボトル１の首上板５を係止するものであるが、各係止口２１の周縁には内側に向って突出し、首上板５に係止される複数、例えば３つの係止片２１ａが設けられている。
【００３２】
なお、係止口２１に設けられた係止片２１ａの数は３つに限定されるものではなく、２〜５の任意の数をとることができる。
【００３３】
さらにまた、各連結側板１３には、固定側板１３の後述する固定側板１２の下方側板１２ｂ側へ向って延びる接着パネル１８が設けられている。
【００３４】
また各固定側板１２は天板１１側の傾斜側板１２ａと、傾斜側板１２ａの下端に連結された下方側板１２ｂとを有している。また傾斜側板１２ａには、横方向に延びる罫線１２ｃが設けられている。
【００３５】
さらにまた、固定側板１２の傾斜側板１２ａには、固定側板１２の一方の側縁から係止口２１に向って延び、かつ係止口２１同士を曲線状に結んだ後、固定側板１２の他方の側縁に達する破断線３１ａが形成され、さらに傾斜側板１２ａと下方側板１２ｂとの間に、横方向全長に渡って延びる破断線３１ｂが形成されている。
【００３６】
これらの破断線３１ａ、３１ｂはいずれも固定側板１２に横方向全長に渡って延びており、破断部を構成する。
【００３７】
使用時において、破断線３１ａ、３１ｂを介して固定側板１２を横方向に破断する。このことにより固定側板１２のうち破断線３１ａ、３１ｂにより囲まれた領域を固定側板１２から除去してマルチパック１０内からプラスチックボトル１を外方へ排出することができる。
【００３８】
次にこのような構成からなる本実施の形態の作用について説明する。
【００３９】
まず図４に示すようなマルチパック１０作製用の紙製ブランク１０Ａを準備する。
【００４０】
次に紙製ブランク１０Ａを箱状に組立て、次に各連結側板１３に設けられた接着パネル１８を対応する固定側板１２の下方側板１２ｂに接着する。このようにしてマルチパック１０を得ることができる。
【００４１】
このようにして得られたマルチパック１０は、天板１１と各連結側板１３との間に形成された側部開口１５を有し、固定側板１２および連結側板１３の下方に形成された底部開口１６を有する。
【００４２】
次に６個のプラスチックボトル１を準備して並べておき、このプラスチックボトル１の上方からマルチパック１０を被せる。この場合、各プラスチックボトル１の口部４を密封するキャップ６および首上板５が天板１１の対応する係止口２１を通過する。
【００４３】
また、プラスチックボトル１の首上板５が係止口２１の係止片２１ａに係止される。このようにして、６個のプラスチックボトル１がマルチパック１０内に収納される。
【００４４】
使用にあたっては、天板１１の把持部２２を指で押圧し、把持部２２の切取線２２ａを切取り、開口を形成する。次に形成された開口内に指を挿入することにより、マルチパック１０を把持して持ち運ぶことができる。
【００４５】
次にマルチパック１０が開封される。すなわち、固定側板１２に設けられた破断線３１ａ、３１ｂを介して固定側板１２を横方向に破断する。このことにより固定側板１２のうち破断線３１ａ、３１ｂにより囲まれた領域を固定側板１２から除去し、マルチパック１０を開封することができる。次にマルチパック１０内からプラスチックボトル１を外方へ取出すことができる。
【００４６】
以上のように本実施の形態によれば、複数のプラスチックボトル１を並べておき、これらのプラスチックボトル１上にマルチパック１０を被せるだけで、容易かつ簡単にプラスチックボトル１にマルチパック１０を装着し、このマルチパック１０内にプラスチックボトルを収納することができる。またマルチパック１０は、天板１１の折罫１１ａおよび連結側板１３の折罫１３ａを介して平板状に折畳むことができる。
【００４７】
そしてこのように折畳まれたマルチパック１０を容易に積層して保管したり、まとめて輸送することができる。
【００４８】
次に本発明の変形例について図５により説明する。
【００４９】
図５に示す変形例は、各連結側板１３に設けられた接着パネル１８が一対の接着領域１８ａ、１８ａと、一対の接着領域１８ａ、１８ａ間に設けられた非接着領域１８ｂとを有するものであり、他の構成は図１乃至図４に示す実施の形態と同一である。
【００５０】
図５に示すように、接着パネル１８の一対の接着領域１８ａ、１８ａは固定側板１２の下方側板１２ｂに接着される。また接着パネル１８の一対の接着領域１８ａ、１８ａと、非接着領域１８ｂは切取線１９を介して互いに連結されている。マルチパック１０の使用が終了した際、接着パネル１８の非接着領域１８ｂを接着領域１８ａ、１８ａから切離す。
【００５１】
接着パネル１８の非接着領域１８ｂの裏面には、予めキャンペーン用情報、例えばマルチパック１０のＩＤ番号等が印字されており、使用者はこの非接着領域１８ｂの裏面のＩＤ番号を例えばインターネット上に登録することにより、賞金又は賞品を得ることができる。
【００５２】
第２の実施の形態
次にマルチパック１０の第２の実施の形態について、図６乃至図９により説明する。ここで図６はマルチパックを示す斜視図、図７はその正面図、図８はその側面図、図９はマルチパックを作製するための紙製ブランクを示す図である。
【００５３】
図６乃至図９に示すように、マルチパック１０は各プラスチックボトル１の首上板５を係止する２個の係止口２１が形成された天板１１と、天板１１に連結された互いに向き合う一対の固定側板１２と、各固定側板１２に連結された互いに向き合う一対の連結側板１３とを備えている。
【００５４】
また天板１１と各連結側板１３との間に側部開口１５が形成されている。さらに、また一対の固定側板１２および一対の連結側板１３の下方に底部開口１６が形成されている。
【００５５】
また天板１１には、各把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【００５６】
さらにまた天板１１に形成された２個の係止口２１は、上述のようにプラスチックボトル１の首上板５を係止するものであるが、各係止口２１の周縁には内側に向って突出し、首上板５に係止される複数、例えば２つの係止片２１ａが設けられている。
【００５７】
なお、係止口２１に設けられた係止片２１ａの数は２つに限定されるものではなく、２〜５の任意の数をとることができる。
【００５８】
さらにまた、各連結側板１３には、固定側板１３の後述する固定側板１２の下方側板１２ｂ側へ向って延びる接着パネル１８が設けられている。
【００５９】
また各固定側板１２は天板１１側の傾斜側板１２ａと、傾斜側板１２ａの下端に連結された下方側板１２ｂとを有している。
【００６０】
さらにまた、一方の固定側板１２の傾斜側板１２ａには、下方に向って先細状となるＶ字状の一対の破断線３２ａが形成され、さらに一対の破断線３２ａの下端には下方側板１２ｂに延びるつまみ部３２ｂが設けられている。そしてこのつまみ部３２ｂは、下方側板１２ｂに設けられた切取線３２ｃにより囲まれている。
【００６１】
使用時において、切取線３２ｃを切り取り、つまみ部３２ｂからＶ字状の一対の破断線３２ａを破断する。このことにより、マルチパック１０内からプラスチックボトル１を外方へ排出することができる。
【００６２】
次にこのような構成からなる本実施の形態の作用について説明する。
【００６３】
まず図９に示すようなマルチパック１０作製用の紙製ブランク１０Ａを準備する。
【００６４】
次に紙製ブランク１０Ａを箱状に組立て、次に各連結側板１３に設けられた接着パネル１８を対応する固定側板１２の下方側板１２ｂに接着する。このようにしてマルチパック１０を得ることができる。
【００６５】
このようにして得られたマルチパック１０は、天板１１と各連結側板１３との間に形成された側部開口１５を有し、固定側板１２および連結側板１３の下方に形成された底部開口１６を有する。
【００６６】
次に２個のプラスチックボトル１を準備して並べておき、このプラスチックボトル１の上方からマルチパック１０を被せる。この場合、各プラスチックボトル１の口部４を密封するキャップ６および首上板５が天板１１の対応する係止口２１を通過する。
【００６７】
また、プラスチックボトル１の首上板５が係止口２１の係止片２１ａに係止される。このようにして、２個のプラスチックボトル１がマルチパック１０内に収納される。
【００６８】
使用にあたっては、まずマルチパック１０が開封される。すなわち、固定側板１２に設けられたつまみ部３２ｂからＶ字状の破断線３２ａを介して固定側板１２を破断する。このことにより、マルチパック１０を開封することができる。次にマルチパック１０内からプラスチックボトル１を外方へ取出すことができる。
【００６９】
以上のように本実施の形態によれば、複数のプラスチックボトル１を並べておき、これらのプラスチックボトル１上にマルチパック１０を被せるだけで、容易かつ簡単にプラスチックボトル１にマルチパック１０を装着し、このマルチパック１０内にプラスチックボトルを収納することができる。またマルチパック１０は、天板１１の折罫１１ａおよび連結側板１３の折罫１３ａを介して平板状に折畳むことができる。
【００７０】
そしてこのように折畳まれたマルチパック１０を容易に積層して保管したり、まとめて輸送することができる。
【００７１】
第３の実施の形態
次にマルチパック１０の第３の実施の形態について、図１０乃至図１３により説明する。ここで図１０はマルチパックを示す斜視図、図１１はその正面図、図１２はその側面図、図１３はマルチパックを作製するための紙製ブランクを示す図である。
【００７２】
図１０乃至図１３に示すように、マルチパック１０は各プラスチックボトル１の首上板５を係止する４個の係止口２１が形成された天板１１と、天板１１に連結された互いに向き合う一対の固定側板１２と、各固定側板１２に連結された互いに向き合う一対の連結側板１３とを備えている。
【００７３】
また天板１１と各連結側板１３との間に側部開口１５が形成されている。さらに、また一対の固定側板１２および一対の連結側板１３の下方に底部開口１６が形成されている。
【００７４】
また天板１１の略中央部には、切取線２２ａにより囲まれた一対の把持部２２が横方向に形成されている。ここで略中央部とは、中央のみならず、中央付近もいう。そして使用時に、各把持部２２の切取線２２ａを切取ることにより各把持部２２内に開口を形成し、この開口内に指を挿入してマルチパック１０を持ち運ぶことができる。
【００７５】
また天板１１には、各把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【００７６】
さらにまた天板１１に形成された４個の係止口２１は、上述のようにプラスチックボトル１の首上板５を係止するものであるが、各係止口２１の周縁には内側に向って突出し、首上板５に係止される複数、例えば４つの係止片２１ａが設けられている。
【００７７】
なお、係止口２１に設けられた係止片２１ａの数は４つに限定されるものではなく、２〜５の任意の数をとることができる。
【００７８】
さらにまた、各連結側板１３には、固定側板１３の後述する固定側板１２の下方側板１２ｂ側へ向って延びる接着パネル１８が設けられている。
【００７９】
また各固定側板１２は天板１１側の傾斜側板１２ａと、傾斜側板１２ａの下端に連結された下方側板１２ｂとを有している。
【００８０】
さらにまた、一方の固定側板１２の傾斜側板１２ａには、下方に向って先細状となるＶ字状の一対の破断線３３ａが形成され、さらに一対の破断線３３ａの下端には下方側板１２ｂに延びるつまみ部３３ｂが設けられている。そしてこのつまみ部３３ｂは下方側板１２ｂに設けられた切取線３３ｃにより囲まれている。
【００８１】
使用時において、切取線３３ｃを切り取り、つまみ部３３ｂからＶ字状の一端の破断線３２ａを破断する。このことにより、マルチパック１０内からプラスチックボトル１を外方へ排出することができる。
【００８２】
次にこのような構成からなる本実施の形態の作用について説明する。
【００８３】
まず図１３に示すようなマルチパック１０作製用の紙製ブランク１０Ａを準備する。
【００８４】
次に紙製ブランク１０Ａを箱状に組立て、次に各連結側板１３に設けられた接着パネル１８を対応する固定側板１２の下方側板１２ｂに接着する。このようにしてマルチパック１０を得ることができる。
【００８５】
このようにして得られたマルチパック１０は、天板１１と各連結側板１３との間に形成された側部開口１５を有し、固定側板１２および連結側板１３の下方に形成された底部開口１６を有する。
【００８６】
次に４個のプラスチックボトル１を準備して並べておき、このプラスチックボトル１の上方からマルチパック１０を被せる。この場合、各プラスチックボトル１の口部４を密封するキャップ６および首上板５が天板１１の対応する係止口２１を通過する。
【００８７】
また、プラスチックボトル１の首上板５が係止口２１の係止片２１ａに係止される。このようにして、４個のプラスチックボトル１がマルチパック１０内に収納される。
【００８８】
使用にあたっては、天板１１の把持部２２を指で押圧し、把持部２２の切取線２２ａを切取り、開口を形成する。次に形成された開口内に指を挿入することにより、マルチパック１０を把持して持ち運ぶことができる。
【００８９】
次にマルチパック１０が開封される。すなわち、固定側板１２に設けられたつまみ部３３ｂからＶ字状の破断線３３ａを介して固定側板１２を横方向に破断する。このことにより、マルチパック１０を開封することができる。次にマルチパック１０内からプラスチックボトル１を外方へ取出すことができる。
【００９０】
以上のように本実施の形態によれば、複数のプラスチックボトル１を並べておき、これらのプラスチックボトル１上にマルチパック１０を被せるだけで、容易かつ簡単にプラスチックボトル１にマルチパック１０を装着し、このマルチパック１０内にプラスチックボトルを収納することができる。またマルチパック１０は、天板１１の折罫１１ａおよび連結側板１３の折罫１３ａを介して平板状に折畳むことができる。
【００９１】
そしてこのように折畳まれたマルチパック１０を容易に積層して保管したり、まとめて輸送することができる。
【００９２】
第４の実施の形態
次にマルチパック１０の第４の実施の形態について、図１４乃至図１７により説明する。ここで図１４はマルチパックを示す斜視図、図１５はその正面図、図１６はその側面図、図１７はマルチパックを作製するための紙製ブランクを示す図である。
【００９３】
図１４乃至図１７に示すように、マルチパック１０は各プラスチックボトル１の首上板５を係止する４個の係止口２１が形成された天板１１と、天板１１に連結された互いに向き合う一対の固定側板１２と、各固定側板１２に連結された互いに向き合う一対の連結側板１３とを備えている。
【００９４】
また天板１１と各連結側板１３との間に側部開口１５が形成されている。さらに、また一対の固定側板１２および一対の連結側板１３の下方に底部開口１６が形成されている。
【００９５】
また天板１１の略中央部には、切取線２２ａにより囲まれた一対の把持部２２が横方向に形成されている。そして使用時に、各把持部２２の切取線２２ａを切取ることにより各把持部２２内に開口を形成し、この開口内に指を挿入してマルチパック１０を持ち運ぶことができる。
【００９６】
また天板１１には、各把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【００９７】
さらにまた天板１１に形成された４個の係止口２１は、上述のようにプラスチックボトル１の首上板５を係止するものであるが、各係止口２１の周縁には内側に向って突出し、首上板５に係止される複数、例えば３つの係止片２１ａが設けられている。
【００９８】
なお、係止口２１に設けられた係止片２１ａの数は３つに限定されるものではなく、２〜５の任意の数をとることができる。
【００９９】
さらにまた、各連結側板１３には、固定側板１３の後述する固定側板１２の下方側板１２ｂ側へ向って延びる接着パネル１８が設けられている。
【０１００】
また各固定側板１２は天板１１側の傾斜側板１２ａと、傾斜側板１２ａの下端に連結された下方側板１２ｂとを有している。
【０１０１】
さらにまた、固定側板１２の下方側板１２ｂには、下方に向って先細状となるＶ字状の一対の破断線３４ａが形成され、一対の破断線３４ａの下端にはつまみ部３４ｂが形成されている。また一対の破断線３４ａは下方側板１２ｂの上方に向って延び、側部開口１５まで達している。
【０１０２】
使用時において、つまみ部３４ｂからＶ字状の一対の破断線３４ａを破断する。このことにより、マルチパック１０内からプラスチックボトル１を外方へ排出することができる。
【０１０３】
次にこのような構成からなる本実施の形態の作用について説明する。
【０１０４】
まず図１７に示すようなマルチパック１０作製用の紙製ブランク１０Ａを準備する。
【０１０５】
次に紙製ブランク１０Ａを箱状に組立て、次に各連結側板１３に設けられた接着パネル１８を対応する固定側板１２の下方側板１２ｂに接着する。このようにしてマルチパック１０を得ることができる。
【０１０６】
このようにして得られたマルチパック１０は、天板１１と各連結側板１３との間に形成された側部開口１５を有し、固定側板１２および連結側板１３の下方に形成された底部開口１６を有する。
【０１０７】
次に４個のプラスチックボトル１を準備して並べておき、このプラスチックボトル１の上方からマルチパック１０を被せる。この場合、各プラスチックボトル１の口部４を密封するキャップ６および首上板５が天板１１の対応する係止口２１を通過する。
【０１０８】
また、プラスチックボトル１の首上板５が係止口２１の係止片２１ａに係止される。このようにして、４個のプラスチックボトル１がマルチパック１０内に収納される。
【０１０９】
使用にあたっては、天板１１の把持部２２を指で押圧し、把持部２２の切取線２２ａを切取り、開口を形成する。次に形成された開口内に指を挿入することにより、マルチパック１０を把持して持ち運ぶことができる。
【０１１０】
次にマルチパック１０が開封される。すなわち、固定側板１２の下方側板１２ｂに設けられた破断線３４ａをつまみ部３４ｂから破断する。このことにより、マルチパック１０を開封することができる。次にマルチパック１０内からプラスチックボトル１を外方へ取出すことができる。
【０１１１】
以上のように本実施の形態によれば、複数のプラスチックボトル１を並べておき、これらのプラスチックボトル１上にマルチパック１０を被せるだけで、容易かつ簡単にプラスチックボトル１にマルチパック１０を装着し、このマルチパック１０内にプラスチックボトルを収納することができる。またマルチパック１０は、天板１１の折罫１１ａおよび連結側板１３の折罫１３ａを介して平板状に折畳むことができる。
【０１１２】
そしてこのように折畳まれたマルチパック１０を容易に積層して保管したり、まとめて輸送することができる。
【０１１３】
第５の実施の形態
次にマルチパック１０の第５の実施の形態について、図１８乃至図２１により説明する。ここで図１８はマルチパックを示す斜視図、図１９はその正面図、図２０はその側面図、図２１はマルチパックを作製するための紙製ブランクを示す図である。
【０１１４】
図１８乃至図２１に示すように、マルチパック１０は各プラスチックボトル１の首上板５を係止する６個の係止口２１が形成された天板１１と、天板１１に連結された互いに向き合う一対の固定側板１２と、各固定側板１２に連結された互いに向き合う一対の連結側板１３とを備えている。
【０１１５】
また天板１１と各連結側板１３との間に側部開口１５が形成されている。さらに、また一対の固定側板１２および一対の連結側板１３の下方に底部開口１６が形成されている。
【０１１６】
また天板１１の略中央部には、切取線２２ａにより囲まれた一対の把持部２２が横方向に形成されている。そして使用時に、各把持部２２の切取線２２ａを切取ることにより各把持部２２内に開口を形成し、この開口内に指を挿入してマルチパック１０を持ち運ぶことができる。
【０１１７】
また天板１１には、各把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【０１１８】
さらにまた天板１１に形成された６個の係止口２１は、上述のようにプラスチックボトル１の首上板５を係止するものであるが、各係止口２１の周縁には内側に向って突出し、首上板５に係止される複数、例えば３つの係止片２１ａが設けられている。
【０１１９】
なお、係止口２１に設けられた係止片２１ａの数は３つに限定されるものではなく、２〜５の任意の数をとることができる。
【０１２０】
さらにまた、各連結側板１３には、固定側板１３の後述する固定側板１２の下方側板１２ｂ側へ向って延びる接着パネル１８が設けられている。
【０１２１】
また各固定側板１２は天板１１側の傾斜側板１２ａと、傾斜側板１２ａの下端に連結された下方側板１２ｂとを有している。
【０１２２】
さらにまた、固定側板１２の下方側板１２ｂには、下方に向って先細状となるＶ字状の一対の破断線３５ａが形成され、一対の破断線３５ａの下端にはつまみ部３５ｂが形成されている。また一対の破断線３５ａは下方側板１２ｂの上方に向って延び、側部開口１５まで達している。
【０１２３】
使用時において、つまみ部３５ｂからＶ字状の一対の破断線３５ａを破断する。このことによりマルチパック１０内からプラスチックボトル１を外方へ排出することができる。
【０１２４】
次にこのような構成からなる本実施の形態の作用について説明する。
【０１２５】
まず図２１に示すようなマルチパック１０作製用の紙製ブランク１０Ａを準備する。
【０１２６】
次に紙製ブランク１０Ａを箱状に組立て、次に各連結側板１３に設けられた接着パネル１８を対応する固定側板１２の下方側板１２ｂに接着する。このようにしてマルチパック１０を得ることができる。
【０１２７】
このようにして得られたマルチパック１０は、天板１１と各連結側板１３との間に形成された側部開口１５を有し、固定側板１２および連結側板１３の下方に形成された底部開口１６を有する。
【０１２８】
次に６個のプラスチックボトル１を準備して並べておき、このプラスチックボトル１の上方からマルチパック１０を被せる。この場合、各プラスチックボトル１の口部４を密封するキャップ６および首上板５が天板１１の対応する係止口２１を通過する。
【０１２９】
また、プラスチックボトル１の首上板５が係止口２１の係止片２１ａに係止される。このようにして、６個のプラスチックボトル１がマルチパック１０内に収納される。
【０１３０】
使用にあたっては、天板１１の把持部２２を指で押圧し、把持部２２の切取線２２ａを切取り、開口を形成する。次に形成された開口内に指を挿入することにより、マルチパック１０を把持して持ち運ぶことができる。
【０１３１】
次にマルチパック１０が開封される。すなわち、固定側板１２の下方側板１２ｂに設けられた破断線３５ａをつまみ部３５ｂから破断する。このことにより、マルチパック１０を開封することができる。次にマルチパック１０内からプラスチックボトル１を外方へ取出すことができる。
【０１３２】
以上のように本実施の形態によれば、複数のプラスチックボトル１を並べておき、これらのプラスチックボトル１上にマルチパック１０を被せるだけで、容易かつ簡単にプラスチックボトル１にマルチパック１０を装着し、このマルチパック１０内にプラスチックボトルを収納することができる。またマルチパック１０は、天板１１の折罫１１ａおよび連結側板１３の折罫１３ａを介して平板状に折畳むことができる。
【０１３３】
そしてこのように折畳まれたマルチパック１０を容易に積層して保管したり、まとめて輸送することができる。
【０１３４】
第６の実施の形態
次にマルチパック１０の第６の実施の形態について、図２２乃至図２５により説明する。ここで図２２はマルチパックを示す斜視図、図２３はその正面図、図２４はその側面図、図２５はマルチパックを作製するための紙製ブランクを示す図である。
【０１３５】
図２２乃至図２５に示すように、マルチパック１０は各プラスチックボトル１の首上板５を係止する４個の係止口２１が形成された天板１１と、天板１１に連結された互いに向き合う一対の固定側板１２と、各固定側板１２に連結された互いに向き合う一対の連結側板１３とを備えている。
【０１３６】
また天板１１と各連結側板１３との間に側部開口１５が形成されている。さらに、また一対の固定側板１２および一対の連結側板１３の下方に底部開口１６が形成されている。
【０１３７】
また天板１１の略中央部には、切取線２２ａにより囲まれた把持部２２が形成されている。そして使用時に、把持部２２の切取線２２ａを切取ることにより各把持部２２内に開口を形成し、この開口内に指を挿入してマルチパック１０を持ち運ぶことができる。
【０１３８】
また天板１１には、把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【０１３９】
さらにまた天板１１に形成された６個の係止口２１は、上述のようにプラスチックボトル１の首上板５を係止するものであるが、各係止口２１の周縁には内側に向って突出し、首上板５に係止される複数、例えば３つの係止片２１ａが設けられている。
【０１４０】
なお、係止口２１に設けられた係止片２１ａの数は３つに限定されるものではなく、２〜５の任意の数をとることができる。
【０１４１】
さらにまた、各連結側板１３には、固定側板１３の後述する固定側板１２の下方側板１２ｂ側へ向って延びる接着パネル１８が設けられている。
【０１４２】
また各固定側板１２は天板１１側の傾斜側板１２ａと、傾斜側板１２ａの下端に連結された下方側板１２ｂとを有している。
【０１４３】
さらにまた、固定側板１２の傾斜側板１２ａと下方側板１２ｂとの間に境界開口３６ｄが設けられ、傾斜部１２ａには境界開口３６ｄから側部開口１５まで延びるＶ字状の一対の破断線３６ａが形成されている。さらに傾斜側板１２ａには、Ｖ字状の一対の破断線３６ａの上方に追加の一対の破断線３６ｂが設けられている。
【０１４４】
使用時において、破断線３６ａを境界開口３６ｄから側部開口１５まで破断する。このことにより、マルチパック１０内からプラスチックボトル１を外方へ排出することができる。
【０１４５】
次にこのような構成からなる本実施の形態の作用について説明する。
【０１４６】
まず図４に示すようなマルチパック１０作製用の紙製ブランク１０Ａを準備する。
【０１４７】
次に紙製ブランク１０Ａを箱状に組立て、次に各連結側板１３に設けられた接着パネル１８を対応する固定側板１２の下方側板１２ｂに接着する。このようにしてマルチパック１０を得ることができる。
【０１４８】
このようにして得られたマルチパック１０は、天板１１と各連結側板１３との間に形成された側部開口１５を有し、固定側板１２および連結側板１３の下方に形成された底部開口１６を有する。
【０１４９】
次に４個のプラスチックボトル１を準備して並べておき、このプラスチックボトル１の上方からマルチパック１０を被せる。この場合、各プラスチックボトル１の口部４を密封するキャップ６および首上板５が天板１１の対応する係止口２１を通過する。
【０１５０】
また、プラスチックボトル１の首上板５が係止口２１の係止片２１ａに係止される。このようにして、６個のプラスチックボトル１がマルチパック１０内に収納される。
【０１５１】
使用にあたっては、天板１１の把持部２２を指で押圧し、把持部２２の切取線２２ａを切取り、開口を形成する。次に形成された開口内に指を挿入することにより、マルチパック１０を把持して持ち運ぶことができる。
【０１５２】
次にマルチパック１０が開封される。すなわち、固定側板１２に設けられた破断線３６ａを境界開口３６ｄから側部開口１５まで破断する。このことによりマルチパック１０を開封することができる。次にマルチパック１０内からプラスチックボトル１を外方へ取出すことができる。
【０１５３】
以上のように本実施の形態によれば、複数のプラスチックボトル１を並べておき、これらのプラスチックボトル１上にマルチパック１０を被せるだけで、容易かつ簡単にプラスチックボトル１にマルチパック１０を装着し、このマルチパック１０内にプラスチックボトルを収納することができる。またマルチパック１０は、天板１１の折罫１１ａおよび連結側板１３の折罫１３ａを介して平板状に折畳むことができる。
【０１５４】
そしてこのように折畳まれたマルチパック１０を容易に積層して保管したり、まとめて輸送することができる。
【０１５５】
紙製ブランクの他の変形例
次に図２６によりマルチパックを作製する紙製ブランクの他の変形例について説明する。ここで図２６に示す紙製ブランク１０Ａは図４に示す紙製ブランク１０Ａの変形例となる。
【０１５６】
図２６に示すようにマルチパック１０を作製する紙製ブランク１０Ａは各プラスチックボトル１の首上板５を係止する６個の係止口２１が形成された天板１１と、天板１１に連結された互いに向き合う一対の固定側板１２と、各固定側板１２に連結された互いに向き合う一対の連結側板１３とを備えている。
【０１５７】
なお、図２６に示す紙製ブランク１０Ａにおいて、一対の固定側板１２のうち上方の固定側板１２の両側から連結側板１３が延び、かつ下方の固定側板１２の両側から連結側板１３が延びている。
【０１５８】
また天板１１の略中央部には、切取線２２ａにより囲まれた一対の把持部２２が横方向に形成されている。そして使用時に、各把持部２２の切取線２２ａを切取ることにより各把持部２２内に開口を形成し、この開口内に指を挿入してマルチパック１０を持ち運ぶことができる。
【０１５９】
また天板１１には、各把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【０１６０】
さらにまた天板１１に形成された６個の係止口２１は、上述のようにプラスチックボトル１の首上板５を係止するものであるが、各係止口２１の周縁には内側に向って突出し、首上板５に係止される複数、例えば３つの係止片２１ａが設けられている。
【０１６１】
なお、係止口２１に設けられた係止片２１ａの数は３つに限定されるものではなく、２〜５の任意の数をとることができる。
【０１６２】
さらにまた、下方の固定側板１２に設けられた各連結側板１３には、上方の固定側板１２に設けられた連結側板１３側へ向って延びる接着パネル１８が設けられている。
【０１６３】
また各固定側板１２は天板１１側の傾斜側板１２ａと、傾斜側板１２ａの下端に連結された下方側板１２ｂとを有している。
【０１６４】
さらにまた、固定側板１２の傾斜側板１２ａには、固定側板１２の一方の側縁から係止口２１に向って延び、かつ係止口２１同士を曲線状に結んだ後、固定側板１２の他方の側縁に達する破断線３１ａが形成され、さらに傾斜側板１２ａと下方側板１２ｂとの間に、横方向全長に渡って延びる破断線３１ｂが形成されている。
【０１６５】
これらの破断線３１ａ、３１ｂはいずれも固定側板１２に横方向全長に渡って延びており、破断部を構成する。
【０１６６】
使用時において、破断線３１ａ、３１ｂを介して固定側板１２を横方向に破断する。このことにより固定側板１２のうち破断線３１ａ、３１ｂにより囲まれた領域を固定側板１２から除去してマルチパック１０内からプラスチックボトル１を外方へ排出することができる。
【０１６７】
次にこのような構成からなる本実施の形態の作用について説明する。
【０１６８】
まず図２６に示すようなマルチパック１０作製用の紙製ブランク１０Ａを準備する。
【０１６９】
次に紙製ブランク１０Ａを箱状に組立て、次に連結側板１３に設けられた接着パネル１８を対応する他側の連結側板１３に接着する。このようにしてマルチパック１０を得ることができる。
【０１７０】
このようにして得られたマルチパック１０は、天板１１と各連結側板１３との間に形成された側部開口１５を有し、固定側板１２および連結側板１３の下方に形成された底部開口１６を有する。
【０１７１】
図２６に示す紙製ブランク１０Ａは全体として略正方形上の領域内に入るため、紙製ブランク１０Ａを容易に作製することができる。
【０１７２】
次に図２７によりマルチパックを作製する紙製ブランクの他の変形例について説明する。ここで図２７に示す紙製ブランク１０Ａは図２５に示す紙製ブランクの変形例となる。
【０１７３】
図２７に示すように、マルチパック１０を作製する紙製ブランク１０Ａは各プラスチックボトル１の首上板５を係止する４個の係止口２１が形成された天板１１と、天板１１に連結された互いに向き合う一対の固定側板１２と、各固定側板１２に連結された互いに向き合う一対の連結側板１３とを備えている。
【０１７４】
なお、図２７に示す紙製ブランク１０Ａにおいて、一対の固定側板１２のうち上方の固定側板１２の両側から連結側板１３が延び、かつ下方の固定側板１２の両側から連結側板１３が延びている。
【０１７５】
また天板１１の略中央部には、切取線２２ａにより囲まれた把持部２２が形成されている。そして使用時に、把持部２２の切取線２２ａを切取ることにより各把持部２２内に開口を形成し、この開口内に指を挿入してマルチパック１０を持ち運ぶことができる。
【０１７６】
また天板１１には、把持部２２の中心を通る折罫１１ａが形成されている。また各連結側板１３にも各々折罫１３ａが形成され、マルチパック１０をこれらの折罫１１ａおよび折罫１３ａを介して平板状に折畳むことができる。そしてこのようにマルチパック１０を折罫１１ａおよび折罫１３ａを介して折畳むことにより、マルチパック１０を積層して保管したり、まとめて輸送する作業を容易かつ簡単に行なうことができる。
【０１７７】
さらにまた天板１１に形成された６個の係止口２１は、上述のようにプラスチックボトル１の首上板５を係止するものであるが、各係止口２１の周縁には内側に向って突出し、首上板５に係止される複数、例えば３つの係止片２１ａが設けられている。
【０１７８】
なお、係止口２１に設けられた係止片２１ａの数は３つに限定されるものではなく、２〜５の任意の数をとることができる。
【０１７９】
さらにまた、下方の固定側板１２に設けられた連結側板１３には、上方の固定側板１２に設けられた連結側板１３側へ向って延びる接着パネル１８が設けられている。
【０１８０】
また各固定側板１２は天板１１側の傾斜側板１２ａと、傾斜側板１２ａの下端に連結された下方側板１２ｂとを有している。
【０１８１】
さらにまた、固定側板１２の傾斜側板１２ａと下方側板１２ｂとの間に境界開口３６ｄが設けられ、傾斜部１２ａには境界開口３６ｄから停止口２１まで延びるＶ字状の一対の破断線３６ａが形成されている。
【０１８２】
使用時において、破断線３６ａを境界開口３６ｄから停止口２１まで破断する。このことにより、マルチパック１０内からプラスチックボトル１を外方へ排出することができる。
【０１８３】
次にこのような構成からなる本実施の形態の作用について説明する。
【０１８４】
まず図２７に示すようなマルチパック１０作製用の紙製ブランク１０Ａを準備する。
【０１８５】
次に紙製ブランク１０Ａを箱状に組立て、次に各連結側板１３に設けられた接着パネル１８を対応する他方の連結側板１３に接着する。このようにしてマルチパック１０を得ることができる。
【０１８６】
このようにして得られたマルチパック１０は、天板１１と各連結側板１３との間に形成された側部開口１５を有し、固定側板１２および連結側板１３の下方に形成された底部開口１６を有する。
【０１８７】
図２７に示す紙製ブランク１０Ａは全体として略正方形状の領域内に入るため、紙製ブランク１０Ａを容易に作製することができる。
【符号の説明】
【０１８８】
１  プラスチックボトル
２  胴部
３  首部
４  口部
５  首上板
６  キャップ
１０  マルチパック
１１  天板
１１ａ  折罫
１２  固定側板
１２ａ  傾斜側板
１２ｂ  下方側板
１３  連結側板
１３ａ  折罫
１５  側部開口
１６  底部開口
２１  係止口
２１ａ  係止片
２２  把持部
２２ａ  切取線
３１ａ  破断線
３１ｂ  破断線
３２ａ  破断線
３２ｂ  つまみ部
３３ａ  破断線
３３ｂ  つまみ部
３４ａ  破断線
３４ｂ  つまみ部
３５ａ  破断線
３５ｂ  つまみ部
３６ａ  破断線
３６ｂ  追加破断線
３６ｄ  境界開口
【図１】
2015105141.tif 000003
【図２】
2015105141.tif 000004
【図３】
2015105141.tif 000005
【図４】
2015105141.tif 000006
【図５】
2015105141.tif 000007
【図６】
2015105141.tif 000008
【図７】
2015105141.tif 000009
【図８】
2015105141.tif 000010
【図９】
2015105141.tif 000011
【図１０】
2015105141.tif 000012
【図１１】
2015105141.tif 000013
【図１２】
2015105141.tif 000014
【図１３】
2015105141.tif 000015
【図１４】
2015105141.tif 000016
【図１５】
2015105141.tif 000017
【図１６】
2015105141.tif 000018
【図１７】
2015105141.tif 000019
【図１８】
2015105141.tif 000020
【図１９】
2015105141.tif 000021
【図２０】
2015105141.tif 000022
【図２１】
2015105141.tif 000023
【図２２】
2015105141.tif 000024
【図２３】
2015105141.tif 000025
【図２４】
2015105141.tif 000026
【図２５】
2015105141.tif 000027
【図２６】
2015105141.tif 000028
【図２７】
2015105141.tif 000029